(57)【要約】【課題】消費者に独特の経験を提供して他の製品からの区別を可能にする製品包装材【解決手段】基部（２０）及び容器（３０）を有する感覚的に相互作用し得る包装アセンブリ（１０）。基部は、電力供給装置（２５）を有する。容器は、消費者製品（３５）を収容してもよい。容器は、基部に対して着脱可能に取り付けられる。容器は、外側表面と、外側表面上に配置された感覚的に相互作用し得る要素と、出力を有する制御システムとを有する。制御システムは感覚的に相互作用し得る要素と電気的に連通し、感覚的に相互作用し得る要素は、容器が基部に隣接し、制御システムが電力供給装置と電気的に連通する際に、制御システムの出力に応答する。【選択図】図１Ａ
2014094784.tif 000002
【特許請求の範囲】
【請求項１】
感覚的に相互作用し得る包装アセンブリであって、
（ｉ）電力供給装置を含む基部と、
（ｉｉ）消費者製品を収容する容器であって、前記基部に対して着脱可能に取り付けることができ、
外側表面、及び
前記外側表面上に配置され共同的に組み合わされて像を形成する、感覚的に相互作用し得る要素を複数含む、容器と、
（ｉｉｉ）出力を有する制御システムであって、前記容器と一体化されて前記感覚的に相互作用し得る要素と電気的に連通している、制御システムと、を備え、
前記容器が前記基部と嵌め合い係合しており、前記制御システムが前記電力供給装置と電気的に連通する際に、前記感覚的に相互作用し得る要素が前記制御システムの前記出力に応答し、
前記容器は、前記電力供給装置と電気的に連通する第１の導電性ユニットを更に含み、前記基部は、前記制御システムと電気的に連通する第２の導電性ユニットを更に含み、前記第１の導電性ユニットと第２の導電性ユニットとは、前記容器が前記基部と嵌め合い係合しているときに接触している、感覚的に相互作用し得る包装アセンブリ。
【請求項２】
前記感覚的に相互作用し得る要素は、前記照明可能な要素、臭気的に相互作用し得る要素、聴覚的に作動可能な要素、及びそれらの組み合わせからなる群より選択される、請求項１に記載の感覚的に相互作用し得る包装アセンブリ。
【請求項３】
前記感覚的に相互作用し得る要素は照明可能な要素であり、前記照明可能な要素は、エレクトロルミネセント要素、ＬＥＤ類、白熱要素、化学発光要素、カソードルミネセント要素、トリボルミネセント要素、光輝性要素、及び燐光性要素、並びにそれらの組み合わせからなる群より選択される、請求項２に記載の感覚的に相互作用し得る包装アセンブリ。
【請求項４】
前記照明可能な要素は、エレクトロルミネセント要素である、請求項３に記載の感覚的に相互作用し得る包装アセンブリ。
【請求項５】
前記感覚的に相互作用し得る要素は、前記第１の導電性ユニットと第２の導電性ユニットとの接触係合に応答する、請求項１に記載の感覚的に相互作用し得る包装アセンブリ。
【請求項６】
前記像はアニメーションである、請求項１に記載の感覚的に相互作用し得る包装アセンブリ。
【請求項７】
前記基部は磁石を含む、請求項１に記載の感覚的に相互作用し得る包装アセンブリ。
【発明の詳細な説明】
【技術分野】
【０００１】
本発明は、包装アセンブリに関する。詳細には、本発明は、触覚、視覚、嗅覚、聴覚及び味覚のうちの１つ以上に対して少なくとも部分的に応答可能な、感覚的に相互作用し得る１つ以上の要素を有する包装アセンブリに関する。
【背景技術】
【０００２】
消費者は、家庭内及び家庭の周囲に配置される日用品の審美的品質を益々認識している。消費者製品のデザイン及び製造における現在のトレンドは、消費者の家庭の装飾を向上させる製品及び製品包装を創出することである。例えば、Ｐｒｏｃｔｅｒ  ＆  Ｇａｍｂｌｅ  Ｃｏ．（Ｃｉｎｃｉｎｎａｔｉ，ＯＨ）により提供されるＦｅｂｒｅｚｅ（登録商標）製品は、「ｄｅｃｏｒ」コレクションを含み、これは家庭装飾品として置かれることを意図した趣の高いボトルを有する。同様に、Ｆｅｂｒｅｚｅ（登録商標）製品種目は、Ｆｅｂｒｅｚｅ  Ｃａｎｄｌｅｓ（商標）コレクションを含み、これは家庭装飾品として置かれることを意図した、奉納スタイルのガラス瓶内の蝋燭を有する。そのような一定の型に合わせてデザインされた容器及び包装の成功により、消費者製品の包装は高度に定型化されていることが多い。
【発明の概要】
【発明が解決しようとする課題】
【０００３】
しかしながら、最適化された包装に関する努力には変化がなく、それら包装材による棚空間の充満により、１つの容器の目立つ形状は、別様に目立つ形状の容器の海の中でかき消される場合がある。照明、匂い又は音を製品包装上に使用することは、包装に十分な出力及び制御システムを提供することの困難さにより制限されている。更に、それらの特性（即ち、照明、匂い、音）の製品包装に対する付与に関連した費用は、構成要素及び材料に関連した高い費用により伝統的に法外なものであった。
【０００４】
消費者に強力な審美上の効果を提供するが、同時に製造の費用効率が高い包装材を提供することが非常に望ましい。驚くべきことに、棚において消費者に独特の経験を提供することができ、そのためその製品を棚上の他の製品から区別し得る、感覚的に相互作用し得る要素を有する製品包装材又は容器が見出された。
【課題を解決するための手段】
【０００５】
１つの非限定的な実施形態において、本発明は、基部、容器、及び制御システムを備えた感覚的に相互作用し得る包装アセンブリに関する。基部は、電力供給装置を含む。容器は、消費者製品を収容するよう使用されてもよく、基部に対して着脱可能に取り付けられてもよい。容器は更に、外側表面と、外側表面上に配置された感覚的に相互作用し得る要素とを含む。制御システムは、容器内に一体化されていてもよい。制御システムは更に出力を含み、容器が基部に隣接した際に感覚的に相互作用し得る要素が制御システムの出力に応答可能なように、感覚的に相互作用し得る要素と電気的に連通している。制御システムは、電力供給装置と電気的に連通している。
【０００６】
別の非限定的な実施形態において、本発明は、基部、容器、及び制御システムを備えた感覚的に相互作用し得る包装アセンブリに関する。基部は、電力供給装置を含む。容器は、消費者製品を収容するよう使用されてもよい。容器は、基部に対して着脱可能に取り付けられてもよい。容器は更に、外側表面と、外側表面上に配置された感覚的に相互作用し得る要素とを含む。制御システムは更に出力を含み、かつ感覚的に相互作用し得る要素と電気的に連通していてもよい。感覚的に相互作用し得る要素は、容器が基部に隣接し、制御システムが電力供給装置と電気的に連通する際に、制御システムの出力に応答する。
【０００７】
更なる別の非限定的な実施形態において、本発明は、基部、容器、及び制御システムを備えた感覚的に相互作用し得る包装アセンブリに関する。基部は、磁石を含む。容器は、消費者製品を収容するよう使用されてもよい。容器は、基部に対して着脱可能に取り付けることができてもよい。容器は更に、外側表面と、外側表面上に配置された感覚的に相互作用し得る要素とを含む。制御システムは更に出力を含み、感覚的に相互作用し得る要素と電気的に連通していてもよい。感覚的に相互作用し得る要素は、容器が基部に隣接し、制御システムが電力供給装置と電気的に連通する際に、制御システムの出力に応答する。電力供給装置と制御システムとの間の回路は、容器が基部に隣接した際に完成される。
【図面の簡単な説明】
【０００８】
【図１Ａ】本発明による包装アセンブリの例示的な実施形態。
【図１Ｂ】本発明による包装アセンブリの別の例示的な実施形態。
【図２】本発明による包装アセンブリの更なる別の例示的な実施形態。
【図３】図２の実施形態の３−３線に沿った断面図。
【図４】本発明による包装アセンブリの追加の例示的な実施形態。
【図５】本発明による包装アセンブリの更なる別の例示的な実施形態。
【図６】本発明による包装アセンブリの尚、更なる別の例示的な実施形態。
【図７】本発明による包装アセンブリに使用し得る商品棚の例示的な実施形態。
【図８】本発明による包装アセンブリの別の例示的な実施形態。
【図９】図８の実施形態の９−９線に沿った断面図。
【発明を実施するための形態】
【０００９】
本明細書で使用される「基部」は、本発明の容器用の支持表面及び／又は基礎として機能し得る任意のモジュール又はユニットを指す。１つの非限定的な実施形態では、基部は、例えば感覚的に相互作用し得る要素等の、包装アセンブリに関連した付加的な構成要素を作動させ、該構成要素に電力を提供し、及び／又は該構成要素を管理し得る構成要素又部品を更に含んでもよい。別の非限定的な実施形態では、容器は、基部内若しくは基部上に嵌合し、又は基部により支持されてもよい。更なる別の非限定的な実施形態では、容器は、制御装置を含む。
【００１０】
本明細書で使用される「消費者」は、製品を購入し、又は製品の購入を決定し、又は製品の購入を検討する任意の人又は実体を指す。１つの非限定的な実施形態において、消費者は、製品の末端使用者である。
【００１１】
本明細書で使用される「容器」は、製品の少なくとも一部が出荷、輸送、保管及び／又は販売のために配置され得る任意の被覆材料、箱、ホルダー、器、封筒、カートン、うわ包装、外部被膜、又は任意の他の実施形態を指す。容器は、所望の機能又は製品に必要な任意の形状又は寸法を有してもよい。非限定的な例において、容器は、立方体、円筒又は角錘であってもよい。容器は、所望の機能に必要な任意の材料から形成されてもよい。例示的な非限定的な材料には、厚紙、プラスチック、ガラス、金属、紙、木材、及びそれらの組み合わせが挙げられる。
【００１２】
本明細書で使用される「制御システム」は、出力を介して他のデバイス又はシステムの挙動を管理、命令、指示、又は調節することができるデバイス又はデバイスの組を指す。例えば、制御システムは、感覚的に相互作用し得る１つ以上の要素を作動及び／又は停止させるよう使用されてもよい。理論に制限されるものではないが、多数の変形及び組み合わせ（論理又は逐次制御、及びフィードバック又は線型制御）を有する制御システムの２つの通常のクラスが存在すると思われる。自動逐次制御システムは、指定された任務を実行するように、一連の機械的作動装置を正確な順序で動作させることができる。線型フィードバックシステムの場合、センサ、制御アルゴリズム及び作動装置を含む制御ループが、変数を設定値（set point）又は基準値に調整することを試みるように構成され得る。例示的な制御システムは、米国特許第４，７９７，７９５号、同第７，２３３，８３１号、及び同第６，９８７，７８７号に記載されている。制御システムが制御し得る例示的なデバイスは、感覚的に相互作用し得る要素及び／又は電力供給装置である。
【００１３】
１つの非限定的な実施形態において、制御システムは、容器内に一体化されていてもよい。例えば、制御システムは、当業者に既知の任意の印刷電子技術（printed electronics technology）を使用して、容器自体の表面に印刷されてもよい。別の例示的な実施形態では、制御システムは、チップ又は回路基板により、容器の本体内に提供されてもよい。あるいは、制御システムは、容器の内側表面上に配置されてもよい。当業者は、制御システムが、誘導又は直接接続により感覚的に作動可能な要素及び／又は電力供給装置と電気的に連通するよう提供され得ることを理解するであろう。別の非限定的な実施形態では、制御システムは、基部又は容器とは別個のユニット内に一体化されていてもよい。例えば、制御システム及び／又は電力供給装置は、小売場所の棚ユニット又は他の展示ユニット内に一体化されてもよく、それにより小売業者は、基部ユニットを同一の展示場に有する必要なく、作動している製品包装材又は容器を展示することができる。例示された上記の実施形態では、商品棚ユニットは、容器上の感覚的要素と相互作用して、包装アセンブリにおいて適切な電子信号を機能させることができる電力供給装置及び制御システムの両方を含み得る。
【００１４】
本明細書で使用される「包装アセンブリ」は、単独で又は組み合わせで使用されて、単一の包装ユニットを提供し得る構成要素の群を指す。１つの非限定的な実施形態において、包装アセンブリは、容器、基部、制御システム、製品、及び感覚的に相互作用し得る要素を備える。
【００１５】
本明細書で使用される「電力供給装置」は、エネルギー源を他のデバイス、又は器具の部品に提供する任意のデバイス又は器具を指す。当業者は、電力供給装置が、電気エネルギー若しくは電気出力、又は他の形態のエネルギーを電気機器（load）に提供し得ることを理解するであろう。１つの非限定的な実施形態において、電力供給装置は、材料中の電子を励起状態に移行させるのに使用される電界を生成してもよい。励起された電子は、次に励起状態から落ちる場合があり、その間に光の形態でエネルギーを放出し得る。いくつかの非限定的な実施形態において、電力供給装置はスイッチモード電力供給装置、リニアレギュレータ、整流器、インバーター、電池、化学燃料セル（chemical fuel cell）、太陽電池、及びそれらの組み合わせも表し得る。例示的な電力供給装置は、米国特許第７，２６２，５５９号、同第７，０２３，１０９号、同第７，２２７，６５２号、同第６，８９７，６２３号、同第６，３４８，７６６号、及び同第７，３１７，３０３号に記載されている。
【００１６】
本明細書で使用される「製品」は、消費者による使用を意図した、任意の対象物、材料、又は物質を指す。いくつかの非限定的な実施形態では、製品は、拭き取り用品、ナプキン、化粧紙、トイレットペーパー、ペーパータオル、乳児ケア製品、女性ケア製品、家庭ケア製品、パーソナルケア製品、及びそれらの組み合わせからなる群より選択されてもよい。
【００１７】
本明細書で使用される「感覚的に相互作用し得る要素」は、臭覚、視覚、触覚、味覚及び／又は音感覚を含む、任意の１つ以上の感覚を少なくとも部分的に刺激する、任意の機構、器具の部品、機器、デバイス等を指す。１つの非限定的な実施形態において、感覚的に相互作用し得る要素は、照明可能であってもよい（例えば、作動される際に光を提供する）。別の非限定的な実施形態では、感覚的に相互作用し得る要素は、聴覚的に作動可能であってもよい（例えば、作動される際に音又は騒音を提供する）。別の非限定的な実施形態では、感覚的に相互作用し得る要素は、臭気的に作動可能であってもよい（例えば、作動される際に匂い又は臭気を提供する）。
【００１８】
本明細書で使用される「照明可能な感覚的に相互作用し得る要素」又は「照明可能なデバイス」又は「照明可能な要素」は、基体上に配置されて、可視スペクトルの任意の範囲に亘る光を照射又は放射し得る要素又はデバイスを指す。例示的な照明可能な感覚的に相互作用し得る要素としては、エレクトロルミネセント要素、ＬＥＤ（有機ＬＥＤを含む）、白熱要素、化学発光要素、カソードルミネセント要素、トリボルミネセント要素、光輝性要素、及び燐光性要素、及びそれらの組み合わせが挙げられる。本発明の１つの非限定的な実施形態では、照明可能な感覚的に相互作用し得る要素は、エレクトロルミネセント要素を含む。照明可能な感覚的に相互作用し得る要素は、文字、単語、形状、アニメーション及びそれらの組み合わせを形成するよう構成され得る。当業者は、エレクトロルミネセント要素が、比較的低いエネルギー消費の利益を提供し、熱エネルギーの生成が比較的少なく、基体上に印刷されることができ、容易に交換することができ、比較的易流動性の（free-flowing）照明可能領域を提供することができ、また、電界を提供する電力供給装置により、又は制御システムに直接結合された電力供給装置から電力を供給され得ることを理解するであろう。当業者は、有機ＬＥＤ又は無機ＬＥＤ等の他の照明可能な要素も、同様にして電力を供給され得ることを理解するであろう。例示的なエレクトロルミネセント要素デバイスは、米国特許第６，３６１，８８５号、同第６，７５９，１４６号、同第７，３４５，３０１号、同第７，２２７，３１３号、同第６，７４０，４２９号、及び同第６，７６７，６５４号に記載されている。エレクトロルミネセントデバイスは、所望される用途に適した任意の色又は形状を有することができる。
【００１９】
１つの非限定的な実施形態において、照明可能な感覚的に相互作用し得る複数の要素を組み合わせて使用することができる。例えば、照明可能な複数の要素は、連続して、調和して、断続的に又はランダムに照明するよう協調して、アニメーションを形成することができる。例えば、照明可能な複数の要素を包装材又は容器上に配置して、リース又は木の上に分散された多数の光をシミュレートすることができる。あるいは、照明可能な多数の要素を包装材又は容器上に配置して、動画の電光板（light board）又は看板（marquee）をシミュレートしてもよい。別の非限定的な実施形態では、照明可能な要素を使用して包装材又は容器の光源を提供することができる。例えば、照明可能な要素を包装材又は容器の開口部上に、又は開口部の付近に配置して、常夜灯と同様、暗所内で製品に到達しようと努め得る消費者を援助してもよい。そのような実施形態は、化粧紙の箱又は拭き取り用品の箱に特に有用であると想定され得る。
【００２０】
本明細書で使用される「臭気的に相互作用し得る」とは、作動すると芳香を放出し得る要素又はデバイスの性質を指す。例示的な臭気的に作動可能なデバイスは、米国特許第５，９０３，７１０号及び同第４，９３１，２２４号に記載されている。
【００２１】
本明細書で使用される「聴覚的に相互作用し得る」とは、作動すると音を放出し得る要素又はデバイスの性質を指す。例示的な聴覚的に作動可能なデバイスは、米国特許第６，４４１，９２１号、同第５，０６３，６９８号、及び同第６，２６０，７０３号に記載されている。
【００２２】
理論に制限されるものではないが、消費者は包装材又は容器上に２つ以上の感覚的に相互作用し得る機構を有することを好み得ると思われる。例えば、容器は、虹をシミュレートするよう構成された複数のエレクトロルミネセントデバイスを有してもよく、並びに容器は、Ａｒｌｅｎ  ａｎｄ  Ｈａｒｂｕｒｇの「Ｏｖｅｒ  ｔｈｅ  Ｒａｉｎｂｏｗ」を奏でる聴覚的に相互作用し得る要素を更に有してもよい。あるいは、容器は、リンゴの木になるリンゴをシミュレートするよう構成された複数のエレクトロルミネセントデバイスを有してもよく、この包装材が、使用するとシミュレートされたアップルパイの芳香が放出される臭気的に相互作用し得る要素を更に有してもよい。臭気的に相互作用し得る要素を照明可能な感覚的に相互作用し得る要素と組み合わせたデバイスの例は、米国特許第６，３０２，５５９号に記載されている。
【００２３】
電子デバイス
第１の非限定的な実施形態において、感覚的に相互作用し得る要素及び／又は制御システム等の電子デバイスは、印刷技術を使用して、導電性のプリント電子回路を容器、基部、又は任意の他の所望のユニットの外側又は内側表面上に配置することにより提供することができる。例えば、感覚的に作動可能な要素及び／又は制御システムは、カード等の基体上に印刷されてもよく、該基体は容器、基部、又は他のユニット上に接着剤で、又は機械的に付着されてもよい。
【００２４】
理論に制限されるものではないが、電子デバイスは、スクリーン印刷、グラビア印刷、インクジェット印刷、フレキソ印刷、又は印刷分野の当業者に馴染みのある任意の他の印刷方法を介して導電性インクを適用することにより印刷されてもよい。１つの非限定的な実施形態では、複数の異なる印刷方法を使用して、上部に印刷される表面にインクを適用してもよい。レジスタ、電球、コンデンサ等の個別に製造された構成要素を使用する代わりに、プリント電子回路を使用することにより、些細でない量の空間及び金銭が節約できることが見出されている。例示的なプリント電子回路は、米国特許第６，９８０，１９６号に記載されている。
【００２５】
基部
本発明の基部は、本発明の容器用の基礎又は支持表面／支持構造として機能してもよい。１つの非限定的な実施形態において、基部は、容器との嵌め合い係合（mating engagement）を提供するオリフィス又は他の開口部を含んでもよい。別の非限定的な実施形態では、容器は基部と接触するのみであってもよい。更なる別の非限定的な実施形態では、基部の構成要素は、該基部と容器とが直接物理的接触することなく容器の構成要素と電気的に連通してもよい。
【００２６】
基部は、製品包装材アセンブリ全体に付加的な機能性を提供することができる。１つの非限定的な実施形態において、基部は、包装アセンブリに電力供給源（例えば、電力供給装置、電界等）を提供して感覚的に相互作用し得る要素及び／又は制御装置を作動させ及び／又は制御することができる、要素又はデバイスを含んでもよい。１つの実施形態において、基部は、壁コンセントから電力を受容する任意の必須の電気回路及び／又は部品を含んでもよい。別の非限定的な実施形態では、基部は、電池又は光電セル若しくは他のデバイスから電力を受容する任意の必須の電気回路及び／又は部品を含んでもよい。
【００２７】
別の非限定的な実施形態では、基部は、制御ユニットを含んでもよい。例えば、基部は、基部内に一体化された制御システムを有してもよく、この制御システムは、基部内若しくは容器上に組み込まれ、又は容器に電気的に結合され、又は容器等のアセンブリのいくつかの他の部分内に組み込まれもよい、いくつかの付加的な機構（感覚的に差動可能な要素等）を制御し得る出力を含んでもよい。
【００２８】
上記に記載した実施形態において、基部がアセンブリの包装材用の基礎又は支持ユニットとして機能し得ることを示したが、基部は容器を直接支持する（例えば、容器の真下に嵌る）必要はなく、包装材若しくは容器と共にアセンブリと任意の形態で機能してもよく、又は包装材若しくは容器と隣接する間、機能してもよいことが想定される。例示的な非限定的な実施形態は、電界及び／又は磁界を提供することができるデバイスを含む基部である。例示的な容器は、隣接する電界により作動される、エレクトロルミネセントデバイス等の感覚的に相互作用し得る要素を含んでもよい。別の非限定的な実施形態において、例示的な容器は、磁石に隣接して配置される際に作動され得る感覚的に相互作用し得る要素、電力供給装置、及び制御システムを含み、磁石は磁界を提供し、この磁界は次に感覚的に相互作用し得る要素、電力供給装置、及び制御システムの間の回路を完成する。
【００２９】
容器
容器は、基部に着脱可能に取り付ることができるよう設計されてもよい。本発明による容器の非限定的な例としては、消費者が所望し得る任意の製品を収容、保管、確保、貯蔵及びそれらの組み合わせを為し得る箱、ホルダー、器、封筒、カートン、うわ包装、外部被膜、及びそれらの組み合わせを挙げることができる。１つの非限定的な実施形態において、製品は、紙製品、女性ケア製品、拭き取り用品、ペーパータオル製品、トイレットペーパー製品、ナプキン、乳児ケア製品、化粧紙製品、及びそれらの組み合わせからなる群より選択されてもよい。当業者は、列挙したもののみではなく、任意の製品を本発明の包装アセンブリに使用することができることを理解するであろう。容器は、消費者が内部に保管された製品に到達するための１つ以上の開口部を含んでもよい。
【００３０】
別の非限定的な実施形態において、容器は更に、包装アセンブリの付加的な要素を含む。例えば、容器は、電力供給装置、制御システム、感覚的に相互作用し得る要素、及びそれらの組み合わせを含んでもよい。１つの非限定的な実施形態において、容器は、電力供給装置から電力を受容する電気回路及び／又は配線及び／又は部品を含んでもよい。別の例では、容器は、電気回路及び／又は配線及び／又は部品を含んで、制御システムと感覚的に相互作用し得る要素との間に電気的連通を提供してもよい。
【００３１】
別の非限定的な実施形態では、容器は、制御システムを含んでもよい。例示的な実施形態において、容器は、容器内に一体化された制御システムを有してもよく、制御システムは出力を含む。制御システムは、容器内に、又は基部等の包装アセンブリのいくつかの他の部分内に組み込まれてもよい、感覚的に作動可能な要素等のいくつかの付加的な機構を制御し得る。制御システムは、電力供給装置から電力、又はいくつかの他の出力を受容するよう適合されていてもよい。
【００３２】
容器は更に、前述したように、感覚的に相互作用し得る要素を含んでもよい。１つの非限定的な実施形態において、感覚的に相互作用し得る要素は、前述したように、照明可能な要素である。別の非限定的な実施形態では、照明可能な感覚的に相互作用し得る複数の要素は、組み合わせて使用されてもよい。例えば、照明可能な要素の全部は、調和して照明してもよく、又は断続的に照明して動画の像を形成してもよい。そのような動画の像は、以下に記載するように、制御システムを使用して制御され得る。１つの非限定的な実施形態において、制御システムは、感覚的に相互作用し得る複数の要素を制御し得る。例えば、照明可能な複数の要素を包装材上又は容器上に配置して、リース又は木の上の多数の光をシミュレートすることができる。あるいは、照明可能な多数の要素を包装材上又は容器上に配置して、動画の電光板又は看板をシミュレートしてもよい。別の非限定的な実施形態では、照明可能な要素を使用して包装材又は容器上への光源を提供することができる。例えば、照明可能な要素を包装材又は容器の開口部上に、又は開口部の付近に配置して「常夜灯」として機能させ、暗所内で製品に接近しようと試みることがある消費者を援助してもよい。そのような実施形態は、化粧紙の箱又は拭き取り用品の箱に特に有用であると想定される。
【００３３】
１つの非限定的な実施形態において、感覚的に相互作用し得る要素は、容器内に直接一体化されてもよい。例えば、感覚的に相互作用し得る要素は、容器の表面に直接接着されてもよい。別の非限定的な実施形態では、感覚的に相互作用し得る要素は、前述したように、（即ち、エレクトロルミネセントインクを使用して）容器の表面上に印刷されてもよい。
【００３４】
容器は、所望の用途に好適な任意の形状であってもよい。例えば、容器は、基部が円形又は長円形である円筒形の形状を有してもよい。あるいは、基部は、四角形、六角形、八角形、三角形、及びそれらの組み合わせ等の任意の多角形であってもよい。
【００３５】
制御システム
１つの非限定的な実施形態において、制御システムの目的は、電力供給装置からの電力を適切な形態に変換して、感覚的に相互作用し得る要素に電気的連通を提供することであり得る。例えば、感覚的に相互作用し得る要素がエレクトロルミネセント材料を含む実施形態は、照明のために交流電流を必要とする場合がある。この例では、制御システムは電力供給装置からの電力を交流電流に変換し得る。そのような制御システムは、電気分野の当業者には既知である。別の非限定的な実施形態では、誘導を介して制御システムと感覚的に相互作用し得る要素との間に電気的連通を提供することが好ましい場合がある。当業者は、誘導を介して提供される電気的連通が、制御システムと感覚的に相互作用し得る要素との間の直接的な機械的相互接続の使用を除外し得ることを理解するであろう。この場合、制御システムは電力供給装置からの電力を電磁界に変換して、感覚的な要素等の寄生インダクタと相互作用させる必要がある。
【００３６】
制御システムは、感覚的要素に「順序付ける」機能を提供して、例えば、照明されたアニメーションを包装材上に形成することもできる。この場合、電力供給装置からの電力は、適切な形態に変換された後、いくつかの所望の設定時間の順序（timed sequence）にて「オン」及び「オフ」にされて、動画の効果を提供し得る。音及び匂い等の他の感覚的効果も、制御システムにより制御され得る。
【００３７】
１つの非限定的な実施形態では、制御システムは、容器、又はいくつかの他の基体上に、感覚的に相互作用し得る要素を補足する形態で、導電性インクを印刷することにより提供され得る。例えば、制御システムは、インクパターン全体（導電性インクと非導電性インクの両方）がリースの外観を有し得るように容器の外側表面上に印刷されてもよい。エレクトロルミネセントデバイス等の、照明可能な感覚的に相互作用し得る複数の要素も、リース上の多数の光の外観を提供するよう印刷され得る。したがって、容器の外側表面上の全体像は、光を有する１つのリースであり、印刷されたリースの少なくとも一部は、エレクトロルミネセントデバイスの照明の順序及び／又はタイミングを制御し得る制御システムとして実際に機能する。
【００３８】
電力供給装置
理論に制限されるものではないが、電力供給装置を使用して制御システム及び感覚的に相互作用し得る要素に対してそれらを機能させる電力を提供し得ると思われる。制御システムは、任意の数の方法により電力供給装置から電力を受容し得ると思われる。電力供給装置から電力を制御システムに移送する方法の１つの例は、直接的な導電性接触によるものである。これは、例えばシステムが電力供給装置を必要とし、制御システムが使用のために組み立てられ又は分解される場合、プラグとレセプタクルの形態であってもよい。代替的な例示的な実施形態では、電力供給装置からの電力は、電界又は磁界を使用する等の誘導手段により、制御システムに移送され、それによりこれらの２つを直接接続する必要性を排除し得る。
【００３９】
本発明の包装アセンブリの非限定的な実施形態において、電力供給装置は、直接又は誘導的に電力を提供し得る。１つの実施形態において、電力供給装置は、制御システムと電気的に直接接続され得る。別の非限定的な実施形態では、電力供給装置は、制御システム及び／又は感覚的に相互作用し得る要素を誘導的に作動させる電界及び／又は磁場を生成する。電力供給装置は、直接壁コンセント、電池、光電セル、太陽電池、燃料セル、リニア電源、スイッチング電源、又は当業者に既知の任意の他の電力供給装置、及びそれらの組み合わせからなる群より選択されてもよい。特定の非限定的な実施形態では、電力は、本発明の包装アセンブリの基部内に一体化され得る１つ以上の電池により供給されてもよい。
【００４０】
感覚的に相互作用し得る消費者製品包装材
図１Ａは、本発明の感覚的に相互作用し得る要素（「アセンブリ」）１０を有する包装アセンブリの例示的な非限定的な実施形態を提供する。非限定的な例示的な実施形態において、アセンブリ１０は、基部２０、容器３０、制御システム３２、及び電力供給装置２５を含む。容器３０は、基部に着脱可能に取り付けることができるよう設計され得る。アセンブリ１０は、容器３０の外側表面３３上に配置されたアニメーション４０を更に含む。例示的な実施形態において、アニメーション４０は更に、個別に又は集合的に照明可能な複数の個々の感覚的に相互作用し得る要素（「要素」）４２を含む。アセンブリは、場合により複数の製品３５を含む。
【００４１】
要素４２は、所望の用途に好適であり得る任意の配置にて構成されてもよい。例示的な実施形態では、要素４２は、太陽光の光線をシミュレートするように構成されている。同様に、制御システム３２は、図１Ａに例示するように、別個のユニットとして容器３０内に、又は容器３０上に提供されてもよい。基部２０は、電界又は磁界を提供する電力供給装置２５を含んでもよい。磁場は次に容器３０の外側表面３３上に配置された制御システム３２に誘導的に結合し得る。例示的な実施形態において、電力供給装置２５と制御システム３２は、基部２０と容器３０とが直接物理的接触しているとき、又は基部２０が容器３０に隣接しているが必ずしも直接物理的接触していないとき、電気的に連通していてもよい。
【００４２】
制御システムは、要素４２を照明させ又は別様に作動させ得る出力を更に含む。制御システム３２は、個々の要素４２を協調するやり方で照明させて、動画らしい像を創出するようプログラミングされてもよい。例えば例示的な実施形態では、制御システム３２は、要素４２をパターンの中心から外方向へ照明させ−それによりアニメーション４０全体において、太陽が光を外方向へ放射する効果を創出するようプログラミングされてもよい。代替的な例示的な実施形態を図１Ｂに示し、ここで制御システム３２はアニメーション４０の要素の少なくとも一部として提供され得る。この例示的な実施形態では、制御システム３２は容器３０の外側表面３３上に印刷されて滝をシミュレートし、要素４２は滝の底の水しぶきをシミュレートしている。図１Ｂの実施形態に例示するように、要素４２は必ずしも同一の形状又は色を有さない。
【００４３】
図２は、アセンブリ１０の非限定的な例示的な実施形態である。この例示的な実施形態において、アセンブリ１０は、基部２０及び容器３０を含む。アセンブリ１０は、複数の要素４２から形成されたアニメーション４０を更に含み、容器３０には複数の消費者製品３５が提供され得る。包装アセンブリ１０は、それぞれが容器及び基部の本体に一体化された制御システム３２（図４）及び電力供給装置２５（図４）を更に含む。
【００４４】
図３は、図２の実施形態の３−３線に沿った断面図である。制御システム３２及び電力供給装置３２は、それぞれ容器３０の内側表面、及び基部２０の本体内に一体化されて示されている。
【００４５】
図４は、アセンブリ１０の別の実施形態を示し、容器３０は、電力供給装置２５、制御システム３２及び／又は感覚的に相互作用し得る要素４２と電気的に連通する第１の導電性ユニット３１を更に含む。例示的な実施形態において、基部２０は、制御システム３２、電力供給装置２５及び／又は要素４２と電気的に連通する第２の導電性ユニット２１を更に含んでもよい。この実施形態では、第１の導電性ユニット３１及び第２の導電性ユニット２１が物理的接触される際に回路が完成され、それによりアニメーション４０に電力が提供される。
【００４６】
図５は、アセンブリ１０の更なる別の実施形態を示し、容器３０は、複数の要素４２、電力供給装置２５及び制御システム３２、並びに所望により製品３５を含む。要素は、アニメーション４０を形成する。基部２０は磁石７０を含み、磁石７０は、容器３０が基部２０に隣接した際に、電力供給装置２５と制御システム３２との間に電気回路を完成させる。回路が完成すると、要素４２が作動され得る。
【００４７】
図６は、アセンブリ１０の更なる別の実施形態を示し、ここで容器３０の基部６０は長円形である。
【００４８】
図７は、本発明のアセンブリ１０の実施形態を示し、基部２０は小売用製品の棚である。例示的な実施形態では、電力供給装置２５は、基部２０として機能し得る小売用製品の棚内に一体化されていてもよい。その結果、容器３０は小売場所にて展示されている間、作動されることができる。理論に制限されるものではないが、小売用製品の棚を基部として使用することの利点は、個々の基部２０を含むユニット（図１〜６に示したような）とは別個に代替容器３０を販売することができるが、代替容器３０は、小売場所にある間、依然としてそれらの機能を消費者に示すことができると思われる。更に、小売場所内で複数の個々の容器３０をより大きいアニメーション４０を形成するように構成してもよい。
【００４９】
図８は、基部２０及び容器３０を含むアセンブリ１０の非限定的な例示的な実施形態である。アセンブリ１０は、複数の要素４２から形成されたアニメーション４０を更に含み、容器３０には複数の消費者製品３５が提供され得る。包装アセンブリ１０は、基部の本体内に一体化された制御システム３２（図９）及び電力供給装置２５（図９）を更に含む。代替的な実施形態において、電力供給装置２５及び／又は制御システム３２は、任意の好適な基部表面、又は基部内の領域上に配置されてもよい。
【００５０】
図９は、図２の実施形態の９−９線に沿った断面図である。制御システム３２及び電力供給装置３２はそれぞれ、容器３０の内側表面、及び基部２０の本体内に一体化されて示されている。
【００５１】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００５２】
本明細書で引用される、相互参照付きの、又は関連する、特許及び出願を含むいずれの文献も、明白に排除されない限り、また別の方法で制限されない限り、本明細書にその全体が参照によって組み入れられる。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００５３】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の書類名特許請求の範囲で扱うものとする。
【図１Ａ】
2014094784.tif 000003
【図１Ｂ】
2014094784.tif 000004
【図２】
2014094784.tif 000005
【図３】
2014094784.tif 000006
【図４】
2014094784.tif 000007
【図５】
2014094784.tif 000008
【図６】
2014094784.tif 000009
【図７】
2014094784.tif 000010
【図８】
2014094784.tif 000011
【図９】
2014094784.tif 000012